【手続補正書】
【提出日】平成29年4月17日(2017.4.17)
【手続補正１】
【補正対象書類名】特許請求の範囲
【補正対象項目名】全文
【補正方法】変更
【補正の内容】
【特許請求の範囲】
【請求項１】
金属鉱石の処理方法であって、
金属鉱石を還元し、
溶鉱炉シャフト（２）においてＣＯ２を含む炉頂ガスを生成し、
溶鉱炉シャフト（２）から前記炉頂ガスを排出し、
炉頂ガスの少なくとも一部を直接的にまたは間接的にＣＯ２コンバータ（４）に導き、ＣＯ２コンバータ（４）において炉頂ガスに含まれるＣＯ２をＣＯに還元し、
ＣＯ２コンバータ（４）からＣＯの第１部分を溶鉱炉シャフト（２）に導き、
ＣＯ２コンバータ（４）からＣＯの第２部分を更なる処理プロセスに導き、
前記更なる処理プロセスは、
燃料電池における酸化プロセスまたはガスエンジンまたはガスタービンにおける燃焼プロセス、
バイオコンバーターにおけるプロセスであって、以下の１以上の基本的な反応式によって微生物または藻類を用いて行われる生物学的変換プロセス、
ａ）  ６ＣＯ＋３Ｈ２Ｏ→Ｃ２Ｈ５ＯＨ＋４ＣＯ２
ｂ）  ６Ｈ２＋２ＣＯ２→Ｃ２Ｈ５ＯＨ＋３Ｈ２Ｏ
ｃ）  ２ＣＯ＋４Ｈ２→Ｃ２Ｈ５ＯＨ＋Ｈ２Ｏ
および合成ガスを官能基を有する及び／又は官能基を有さない炭化水素に変換する変換プロセス、
の１以上のプロセスを備えたことを特徴とする金属鉱石の処理方法。
【請求項２】
ＣＯ２コンバータ（４）から来るＣＯの第２の部分は、排ガス混合物として更なる処理プロセスに導かれる前にＣＯ２を含む排ガス混合物を形成するために燃焼されることを特徴とする請求項１記載の方法。
【請求項３】
炉頂ガスをＣＯ２コンバータ（４）に間接的に導く場合、前記炉頂ガスは、排ガス混合物の形でＣＯ２コンバータ（４）に導かれる前にＣＯ２を含む排ガス混合物を生成するためにまず燃焼され、ＣＯ２コンバータ（４）においてＣＯに還元されることを特徴とする請求項１または２記載の方法。
【請求項４】
ＣＯ２を含む排ガス混合物の一部を前記ＣＯ２コンバータ（４）をバイパスして更なる処理プロセスに導くことを特徴とする請求項３記載の方法。
【請求項５】
ＣＯの一部は、溶融金属のレベルの上方で溶鉱炉シャフト（２）の下部領域において、溶鉱炉シャフト（２）に供給されることを特徴とする請求項１乃至４のいずれか一項に記載の方法。
【請求項６】
ＣＯの一部は、溶鉱炉シャフト（２）に沿って位置する１以上のＣＯ入口で溶鉱炉シャフト（２）に供給されることを特徴とする請求項１乃至５のいずれか一項に記載の方法。
【請求項７】
ＣＯ入口は、溶鉱炉シャフト（２）内の溶融金属のレベルの下方に部分的に位置することを特徴とする請求項６記載の方法。
【請求項８】
付加的な炭素は、炭素が溶融金属と接触するように溶鉱炉シャフト（２）の下部領域に供給されることを特徴とする請求項１乃至７のいずれか一項に記載の方法。
【請求項９】
ＣＯ２をＣＯに還元する工程は、Ｃを加えることによって８００℃から１７００℃の温度範囲でＣＯ２コンバータ（４）内で行われることを特徴とする請求項１乃至８のいずれか一項に記載の方法。
【請求項１０】
炭化水素を含む流体を、
ａ）プラズマによって、または
ｂ）熱エネルギーを導入することによって
炭素および水素に分解する工程を備え、
さらに前記水素（Ｈ２）を炭化水素コンバータ（４６）から直接にまたはＣコンバータ（４）を介して生物学的変換プロセスに導くことを特徴とする請求項１記載の方法。
【請求項１１】
分解工程は別の炭化水素コンバータ（４６）において行われることを特徴とする請求項１０記載の方法。
【請求項１２】
合成ガスは、以下の工程によって生成され、この工程は、
炭化水素を含む流体を、
ａ）プラズマによって、または
ｂ）熱エネルギーを導入することによって、
炭素（Ｃ）および水素（Ｈ２）に分解する工程と、
水素（Ｈ２）の少なくとも一部をＣＯ２コンバータ（４）で生成されたＣＯの少なくとも一部と混合する工程とからなることを特徴とする請求項１記載の方法。
【請求項１３】
金属生成のための溶鉱炉（１）であって、
第１炉頂ガス出口（１０）と少なくとも一つのＣＯ入口（１４）とを有した溶鉱炉シャフト（２）と、
ＣＯ２を含むガス用のＣＯ２コンバータガス入口（２２）とＣＯ２コンバータ入口（２０）とを備え、ＣＯ２をＣＯに還元するようになっているＣＯ２コンバータ（４）とを備え、
第１炉頂ガス出口（１０）はＣＯ２コンバータガス入口（２２）に直接的に又は間接的に接続されており、
ＣＯ２コンバータ（４）は、ＣＯ２コンバータ（４）で生成されるＣＯの第１部分を排出するための少なくとも一つの第１ＣＯ出口（２４）を備え、前記第１ＣＯ出口（２４）は溶鉱炉シャフト（２）に直接的に又は間接的に接続されており、
ＣＯ２コンバータ（４）は、
ガスエンジン、ガスタービン、または燃料電池である更なる処理用コンバータ（６）、
バイオコンバーターであって、微生物または藻類を用いた変換プロセスが１以上の以下の基本的な反応式によって行われる更なる処理用コンバータ（６）、
ａ）６ＣＯ＋３Ｈ２Ｏ→Ｃ２Ｈ５ＯＨ＋４ＣＯ２
ｂ）６Ｈ２＋２ＣＯ２→Ｃ２Ｈ５ＯＨ＋３Ｈ２Ｏ
ｃ）２ＣＯ＋４Ｈ２→Ｃ２Ｈ５ＯＨ＋Ｈ２Ｏ
および合成ガスから官能基を有する及び／又は官能基を有さないを生成するようになっている更なる処理用コンバータ（６）、
の１以上の更なる処理用コンバータ（６）にＣＯの第２部分を排出するための少なくとも一つの第２ＣＯ出口（２６）を備えることを特徴とする溶鉱炉（１）。
【請求項１４】
燃焼ガス入口（３８）と、ＣＯ２を含む排ガスを排出する少なくとも一つの排ガス出口（４０）とを有した燃焼器（３６）を備え、
ＣＯ２コンバータ（４）の第２ＣＯ出口（２６）の少なくとも一つは燃焼器（３６）の燃焼ガス入口（３８）に接続され、
燃焼器（３６）はＣＯ２コンバータ（４）からのＣＯによって少なくとも部分的に動作され、
燃焼器（３６）の排ガス出口（４０）の一つは更なる処理用コンバータ（６）に接続されていることを特徴とする請求項１３記載の溶鉱炉（１）。
【請求項１５】
燃焼ガス入口（３８）と、ＣＯ２を含む排ガスを排出する少なくとも一つの排ガス出口（４０）とを有した燃焼器（３６）を備え、
炉頂ガス出口（１０）とＣＯ２コンバータ（４）との間接的な接続部において、溶鉱炉シャフト（２）の第１炉頂ガス出口（１０）は燃焼器（３６）の燃焼ガス入口（３８）に接続され、
燃焼器（３６）は炉頂ガスによって少なくとも部分的に動作されることを特徴とする請求項１３または１４記載の溶鉱炉（１）。
【請求項１６】
燃焼器（３６）の排ガス出口（４０）の一つは、ＣＯ２を含む排ガス混合物の一部をＣＯ２コンバータ（４）に導くためにＣＯ２コンバータ（４）のＣＯ２コンバータガス入口（２２）に接続されていることを特徴とする請求項１５記載の溶鉱炉（１）。
【請求項１７】
燃焼器（３６）の排ガス出口（４０）の一つは、ＣＯ２を含む排ガス混合物の一部をＣＯ２コンバータ（４）をバイパスして更なる処理用コンバータ（６）における更なる処理プロセスに導くために、更なる処理用コンバータ（６）に接続されていることを特徴とする請求項１５または１６記載の溶鉱炉（１）。
【請求項１８】
溶融金属のレベルの上方で溶鉱炉シャフト（２）の下部領域において、ＣＯ入口（１４）を備えていることを特徴とする請求項１３乃至１７のいずれか一項に記載の溶鉱炉（１）。
【請求項１９】
溶鉱炉シャフト（２）の異なった高さに複数のＣＯ入口（１４）を備えていることを特徴とする請求項１３乃至１８のいずれか一項に記載の溶鉱炉（１）。
【請求項２０】
ＣＯ入口（１４）は、溶鉱炉（１）の運転中、溶鉱炉シャフト（２）内の溶融金属のレベルの下方の高さに部分的に位置していることを特徴とする請求項１９記載の溶鉱炉（１）。
【請求項２１】
溶鉱炉シャフト（２）の下部領域において炭素用のＣ入口（１８）を備えており、
Ｃ入口は、溶鉱炉（１）の運転中、溶融金属のレベルの下方でカーボン（Ｃ）を溶鉱炉シャフト（２）に供給することができるように位置していることを特徴とする請求項１３乃至２０のいずれか一項に記載の溶鉱炉（１）。
【請求項２２】
ＣＯ２コンバータ（４）は、Ｃを加えることによって８００℃〜１７００℃の温度でＣＯ２をＣＯに還元するようになっていることを特徴とする請求項１３乃至２１のいずれか一項に記載の溶鉱炉（１）。
【請求項２３】
プラズマによってまたは熱エネルギーによって動作される炭化水素コンバータ（４６）を備え、
炭化水素コンバータ（４６）は、炭化水素を含む流体用の少なくとも一つの炭化水素入口（４８）と、少なくとも炭素用の少なくとも一つの出口（５０，５４，５０／５２）を備え、
少なくとも炭素用の出口（５０，５４，５０／５２）の少なくとも一つは、ＣＯ２コンバータ入口（２０）に接続されていることを特徴とする請求項１３乃至２２のいずれか一項に記載の溶鉱炉（１）。
【請求項２４】
炭化水素コンバータ（４６）は、水素（Ｈ２）用の少なくとも一つのＨ２出口（５２）を備えたことを特徴とする請求項１３乃至２３のいずれか一項に記載の溶鉱炉（１）。
【請求項２５】
炭化水素コンバータ（４６）の水素（Ｈ２）用のＨ２出口（５２）の一つは、更なる処理用コンバータ（６）に接続されていることを特徴とする請求項２４記載の溶鉱炉（１）。
【請求項２６】
合成ガスは、炭化水素コンバータからの水素とＣＯ２コンバータからのＣＯとの混合物であることを特徴とする請求項１３記載の溶鉱炉（１）。
【請求項２７】
プラズマによって又は熱エネルギーによって操作される炭化水素コンバータ（４６）をさらに備え、
炭化水素コンバータ（４６）は、炭化水素を含む流体用の少なくとも一つの炭化水素入口（４８）と、炭素用の少なくとも一つのＣ出口（５０，５４）と、水素（Ｈ２）用の少なくとも一つのＨ２出口（５２）とを備え、
水素（Ｈ２）用の少なくとも一つのＨ２出口（５２）は、ＣＯ２コンバータ入口（１２０）に接続されていることを特徴とする請求項１３、１５、１６、１９、２０および２１のいずれか一項に記載の溶鉱炉（１）。